(57)【要約】【課題】自機に記録されているコンテンツデータを外部機器に簡単に表示させ、またはこの表示を簡単に取り消すことができる携帯機器を提供すること。【解決手段】送信制御部２０３は、デジタルカメラ１と外部機器９との間で通信が確立した際に、外部機器９に対する表示対象の撮影データを近接通信部１８を介して外部機器９に送信する処理を行う。表示許可通知制御部２０５は、外部機器９との間で通信が確立した後の通信の状況に応じて、外部機器９に対して通信確立時に送信した表示対象の撮影データの表示を許可する表示許可信号を通知する処理を行う。【選択図】図７
2010045689.tif 000002
【特許請求の範囲】
【請求項１】
コンテンツデータを記録する記録部と、
表示部を備えた外部機器との間で近接無線通信を行う近接通信部と、
前記外部機器との間で通信が確立した場合に、前記近接通信部を介し、前記外部機器に対して所定のコンテンツデータを送信処理する送信制御部と、
前記通信が確立した後の前記外部機器との間の通信状況に応じて、前記外部機器に前記所定のコンテンツデータの表示許可を通知する許可通知制御部と、
を備えたことを特徴とする携帯機器。
【請求項２】
前記許可通知制御部は、前記通信が確立した後、該確立した状態が所定時間経過した場合に、前記所定のコンテンツデータの表示許可を前記外部機器に通知することを特徴とする請求項１に記載の携帯機器。
【請求項３】
前記通信が確立した場合に、前記所定のコンテンツデータを表示部に表示処理する表示制御部を備えたことを特徴とする請求項２又は３に記載の携帯機器。
【発明の詳細な説明】
【技術分野】
【０００１】
本発明は、コンテンツデータを記録する携帯機器に関するものである。
【背景技術】
【０００２】
近年、パソコンの普及やテレビの大画面化に伴い、デジタルカメラで撮影した画像をパソコンやテレビに表示させて楽しむユーザが増えている。また、この他にも、デジタルカメラで撮影した画像が蓄積されたメモリカード等の記録媒体から画像を読み出して専用の表示装置に表示するデジタルフォトフレームが実用化されている。
【０００３】
また、物体の動きを検出したり、タッチデバイスに対する指の動き等を検出することで直感的な操作入力を実現する装置が知られている（例えば特許文献１，２を参照）。すなわち、特許文献１には、ユーザが把持または着用する物体の動作を検出し、その動作パターンに応じて制御対象機器の動作制御を行う技術が開示されている。また、特許文献２には、直感的な手のコンフィギュレーションと動きによって、タイプ入力等の手操作入力を実現する装置が開示されている。
【０００４】
【特許文献１】特開２００５−５９８１２号公報
【特許文献２】特表２００２−５０１２７１号公報
【発明の開示】
【発明が解決しようとする課題】
【０００５】
特許文献１，２のように、従来から直感的な操作入力を実現する技術が知られている。ところで、カメラで撮影した画像を外部機器に送信して表示させる場合には、外部機器への送信指示等の操作入力の他に、その都度カメラを外部機器とケーブル接続する作業が必要であった。また、一度入力した送信指示は取り消すことができず、送信した画像は外部機器に表示されてしまうため、画像の選択操作を誤った場合には、外部機器に対する表示中止の指示を改めて入力し直さなければならなかった。
【０００６】
本発明は、上記に鑑みてなされたものであって、自機に記録されているコンテンツデータを外部機器に簡単に表示させ、またはこの表示を簡単に取り消すことができる携帯機器を提供することを目的とする。
【課題を解決するための手段】
【０００７】
上述した課題を解決し、目的を達成するため、本発明にかかる携帯機器は、コンテンツデータを記録する記録部と、表示部を備えた外部機器との間で近接無線通信を行う近接通信部と、前記外部機器との間で通信が確立した場合に、前記近接通信部を介し、前記外部機器に対して所定のコンテンツデータを送信処理する送信制御部と、前記通信が確立した後の前記外部機器との間の通信状況に応じて、前記外部機器に前記所定のコンテンツデータの表示許可を通知する許可通知制御部と、を備えたことを特徴とする。
【０００８】
また、本発明にかかる携帯機器は、上記の発明において、前記許可通知制御部は、前記通信が確立した後、該確立した状態が所定時間経過した場合に、前記所定のコンテンツデータの表示許可を前記外部機器に通知することを特徴とする。
【０００９】
また、本発明にかかる携帯機器は、上記の発明において、前記通信が確立した場合に、前記所定のコンテンツデータを表示部に表示処理する表示制御部を備えたことを特徴とする。
【発明の効果】
【００１０】
本発明によれば、自機に記録されているコンテンツデータを外部機器に送信するとともに、送信したコンテンツデータの表示許可を、外部機器との間の近接無線通信の通信状況に応じて外部機器に通知することができるので、自機に記録されているコンテンツデータを外部機器に簡単に表示させ、またはこの表示を簡単に取り消すことができるという効果を奏する。
【発明を実施するための最良の形態】
【００１１】
以下、図面を参照し、本発明の好適な実施の形態について詳細に説明する。なお、以下では、本発明の携帯機器をデジタルカメラに適用した場合を例にとって説明するが、この実施の形態によって本発明が限定されるものではない。また、各図面の記載において、同一部分には同一の符号を付して示している。
【００１２】
（実施の形態１）
先ず、実施の形態１について説明する。図１は、実施の形態１のデジタルカメラ１の前面側を示す概略斜視図であり、図２は、デジタルカメラ１の背面側を示す概略斜視図である。図１に示すように、デジタルカメラ１は、カメラ本体３の前面に撮像レンズ４が配設され、この撮像レンズ４を通して入射する被写体像を撮像する撮像部１１（図７を参照）をカメラ本体３の内部に備えている。一方、カメラ本体３の上面には、撮影タイミングを指示するためのレリーズスイッチ５が配設されている。そして、カメラ本体３の背面には、各種画面を表示する表示部１５、電源投入やモードの選択といった各種操作を入力するための固有の機能が割り当てられた複数のボタンスイッチ７等が配設されている。また、カメラ本体３の前面側からみて左側の端部部分がユーザの右手により保持されるグリップ部８を形成しており、上面のレリーズスイッチ５や背面のボタンスイッチ７は、グリップ部８を保持した状態で操作可能な位置に配置されている。
【００１３】
そして、デジタルカメラ１の電源を投入（ＯＮ）し、撮影モードを選択すると、デジタルカメラ１は撮影可能な状態となり、撮像レンズ４を通して入射する被写体像がライブビュー画像としてリアルタイムに表示部１５に表示されるようになっている。ユーザは、グリップ部８を保持してカメラ本体３を構え、表示部１５のライブビュー画像を見ながらレリーズスイッチ５を押下して静止画や動画を撮影し、あるいは撮影した静止画や動画を表示部１５に表示（再生）して楽しむ。
【００１４】
このデジタルカメラ１は、図１に示すように、カメラ本体３のグリップ部８が形成された端部と反対の端部側において、例えばパソコンやテレビ等の表示部を備えた外部機器に具備される近接通信部と近接無線通信を行うための近接通信部１８を内蔵している。なお、以下では、外部機器をノートパソコンとして例示する。
【００１５】
図３は、実施の形態１のデジタルカメラ１と外部機器９とが通信を行う様子を側面側から示した説明図である。デジタルカメラ１の近接通信部１８は、そのアンテナがカメラ本体３の前面側に配置されるように具備される。一方、外部機器９であるノートパソコンの近接通信部９６は、そのアンテナがキーボード面側に配置されるように設けられており、互いに通信可能圏内に近接されると、デジタルカメラ１と外部機器９との間で通信が確立されるようになっている。このように、実施の形態１では、近接通信部１８の配置によって通信時のカメラ本体３の前後方向の姿勢を規定している。すなわち、外部機器９のキーボード面に対してカメラ本体３の前面側を対向させた状態でデジタルカメラ１を外部機器９に近づけると通信が確立される一方、外部機器９のキーボード面に対してカメラ本体３の背面側を近づけても通信が確立されない。また、ユーザにとっては、撮影時や再生時と同様の要領でカメラ本体３のグリップ部８を保持して外部機器９に近づければよく、デジタルカメラ１の表示部１５が見える状態で、かつ外部機器９の表示部９２も見える状態で通信が行える。これにより、通信の際、表示部１５，９２の表示によって送受信の成否や送受したデータの内容等を容易に目視確認することができる。
【００１６】
そして、実施の形態１のデジタルカメラ１は、外部機器９との間で通信が確立すると先ず、外部機器９に対するデータの送信を行う。ここで送信されるデータは、例えばデジタルカメラ１に記録されている撮影データであり、デジタルカメラ１で撮影された静止画や動画等である。また、動画の撮影中に録音された音データを併せて送信するようにしてもよい。なお、実施の形態１では、外部機器９に対する表示対象の撮影データを１つ選択し、外部機器９に送信することとする。そして、デジタルカメラ１は、その後の外部機器９との間の通信状況に応じて送信したデータの表示許可を外部機器９に通知する。図４および図５は、実施の形態１における通信状況に応じた撮影データの表示許可通知の原理について説明する図である。
【００１７】
外部機器９に撮影データを表示させたい場合には、ユーザは、図４中に矢印Ａ１で示すように、先ずデジタルカメラ１を外部機器９に近づけ、通信を確立させる。図４の例では、外部機器９のキーボード面において、向かって右側端部に近接通信部９６が設けられており、このキーボード面の右側端部にカメラ本体３（詳細にはグリップ部８と反対の端部側）を近づけると通信が確立される。この結果、表示対象の画像が外部機器９に送信される。そして、デジタルカメラ１が外部機器９に近づけられたままに保たれ、通信が確立した状態が所定時間（例えば、約２秒間）継続すると、デジタルカメラ１の表示部１５には、図４に示すような画面Ｗ１が表示されて表示許可信号が外部機器９に送信される。一方外部機器９では、デジタルカメラ１から撮影データを受信した時点ではその表示は行わず、デジタルカメラ１から表示許可信号を受信した時点で表示部９２に表示する。これにより、デジタルカメラ１で撮影された撮影データが外部機器９において再生・鑑賞できるようになる。
【００１８】
これに対し、表示対象の撮影データの選択を誤った場合等、撮影データの外部機器９への表示を取り消したい場合には、ユーザは、図５中に矢印Ａ２で示すように、デジタルカメラ１を外部機器９から遠ざければよい。すなわち、表示対象の撮影データが外部機器９に送信された後、所定時間が経過するまでの間にデジタルカメラ１が外部機器９から遠ざけられると、通信が遮断されるため、表示許可信号が外部機器９に通知されない。この場合には、デジタルカメラ１の表示部１５には図５に示すような画面Ｗ２が表示され、外部機器９の表示部９２には撮影データは表示されない。したがって、ユーザは、デジタルカメラ１において、外部機器９に表示させたい撮影データを選択し、デジタルカメラ１外部機器９に所定時間近づけたままにしておくことで、選択した撮影データを外部機器９の表示部９２に表示させることができる。また、選択した撮影データの外部機器９への表示を取り消したい場合には、外部機器９からカメラ本体３を遠ざければよい。
【００１９】
図６は、実施の形態１においてデジタルカメラ１と外部機器９との間で行われる通信の概要を説明する図である。図６に示すように、外部機器９が送出している通信信号をデジタルカメラ１が受信し（ａ１）、受信通知を送信すると（ａ３）、デジタルカメラ１と外部機器９との間で通信が確立する。通信が確立すると、外部機器９はデジタルカメラ１に待機状態を通知し（ａ５）、これに応答してデジタルカメラ１は、撮影データを外部機器９に送信する。そして、外部機器９は、この撮影データを受信し（ａ７）、撮影データの受信完了をデジタルカメラ１に通知する（ａ９）。この通知を受信したデジタルカメラ１は、外部機器９との間の通信状況の一例として通信が確立した状態で所定時間ｔs1が経過したか否かを監視しており、経過した場合に、表示許可信号を外部機器９に通知する（ａ１１）。
【００２０】
そして、外部機器９は、表示許可信号を受信し、ａ７で受信した撮影データを表示部９２に表示する処理を行って、表示開始をデジタルカメラ１に通知する（ａ１３）。これに応答して、デジタルカメラ１では、記録要求を外部機器９に通知し（ａ１５）、これを受信した外部機器９では、ａ７で受信した撮影データを記録する処理を行う。
【００２１】
図７は、デジタルカメラ１および外部機器９の主要内部構成の一例を示すブロック図である。図７に示すように、デジタルカメラ１は、撮像部１１、画像処理部１２、変位検出部１３、操作部１４、表示部１５、記録部１６、時計部１７、近接通信部１８、制御部２０等を備える。
【００２２】
撮像部１１は、撮像レンズ４を通して入射する被写体像を光電変換し、アナログ電気信号を出力するＣＣＤ（Charge Coupled Device）やＣＭＯＳ（Complementary Metal Oxide Semiconductor）等の撮像素子を含み、撮像素子からのアナログ電気信号をデジタル電気信号に変換して画像データを出力する。
【００２３】
画像処理部１２は、撮像部１１から出力された画像データに対して各種の画像処理を施すとともに、記録用や表示用に適した画像データに変換する処理を行う。例えば、撮影画像の画像データを記録する際、あるいは記録されている画像データを表示する際等に、ＪＰＥＧ（Joint Photographic Experts Group）方式等に基づく画像データの圧縮処理や伸張処理を行う。
【００２４】
変位検出部１３は、カメラ本体３の変位を検出するためのものであり、カメラ本体３に生じる加速度を検出する公知の加速度センサや、カメラ本体３が回転したときの角速度を検出する公知の角速度センサ等で実現される。なお、従来から、手ぶれによる画像ぶれを補正するために角速度センサや加速度センサを備えたデジタルカメラが知られており、このようなデジタルカメラに適用する場合には、新たな構成を追加することなくカメラ本体３の変位を検出することができる。
【００２５】
図８は、変位検出部１３によるカメラ本体３の変位検出を説明するための図である。図８に示すように、例えば、デジタルカメラ１の光学系（撮像レンズ４）の光軸方向をＺ軸方向とし、Ｚ軸方向に垂直な平面（撮像素子の撮像面）をＸＹ平面として各軸方向を定義する。ここで、Ｘ，Ｙ，Ｚ軸は、デジタルカメラ１に固定されたローカルな座標軸であり、カメラ本体３の姿勢とは無関係である。変位検出部１３は、Ｘ，Ｙ，Ｚ軸の各軸方向の加速度を個別の加速度センサや３軸の加速度センサによって検出し、Ｘ，Ｙ，Ｚ軸の各軸回りの角速度を個別のジャイロ等によって検出する。そして、変位検出部１３は、加速度センサの検出結果をもとにカメラ本体３の移動量を検出するとともに、角速度センサの検出結果をもとにカメラ本体３の回転量を検出し、カメラ本体３の変位として検出する。
【００２６】
図９，図１０−１〜３は、加速度センサを用いたカメラ本体３の移動量の検出原理の一例を説明する図である。図９に示すように、加速度センサは、チップ表面に固定された固定電極２１１，２１３と、この固定電極２１１，２１３上に架橋され、加速度に起因して矢印Ａ５の方向に移動する可動電極２１５とを有する。そして、固定電極２１１と可動電極２１５との間の静電容量の変化および固定電極２１３と可動電極２１５との間の静電容量の変化を検出して加速度を検出する。この加速度センサの出力（図１０−１）を積分することで速度が得られ（図１０−２）、さらに積分することで移動量が得られる（図１０−３）。また、図１１，図１２は、角速度センサを用いたカメラ本体３の回転量の検出原理の一例を説明する図である。図１１に示すように、角速度センサは、圧電セラミック素子が形成された一対の振動体２２１，２２３を有し、この振動体２２１，２２３を図１１中に示す振動方向に振動させた状態で、コリオリ力を利用して角速度を検出するものである。そして、この角速度センサの出力を積分することで回転量が得られる（図１２）。
【００２７】
図７に示す操作部１４は、撮影の開始指示、静止画撮影や動画撮影等の撮影モード、再生モード、通信モードといったモードの選択操作、撮影条件の設定操作等、ユーザによる各種操作を受け付けて操作信号を制御部２０に通知するためのものである。この操作部１４は、図１のレリーズスイッチ５やボタンスイッチ７を含む。
【００２８】
表示部１５は、撮影された静止画や動画、ライブビュー画像の他、デジタルカメラ１の各種設定情報等を表示するためのものであり、ＬＣＤ（Liquid Crystal Display）やＥＬディスプレイ（Electroluminescence Display）等の表示装置で実現される。この表示部１５には、撮影モード中は例えば１フレーム毎にライブビュー画像が再描画されて動画的に連続表示され、再生モード中は撮影された静止画や動画が表示される。
【００２９】
記録部１６は、デジタルカメラ１を動作させ、このデジタルカメラ１が備える種々の機能を実現するための各種のカメラプログラムや、このカメラプログラムの実行中に使用されるデータ等を記録しておくためのものであり、撮影された静止画データ、動画データ、音データ等の撮影データ等を記録しておくためのものである。この記録部１６は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜採用して用いることができる。
【００３０】
時計部１７は、日付および時刻を計時するためのものである。この時計部１７が計時する現在時刻によって、静止画や動画の撮影日および撮影時刻が特定され、撮影された静止画や動画は、撮影日および撮影時刻とともに記録部１６に記録されるようになっている。
【００３１】
近接通信部１８は、外部機器９との間で近接無線通信を行うためのものであり、アンテナによって外部機器９の近接通信部９６との間で電波信号を送受信し、受信信号を復調処理するとともに、送信信号を変調処理する送受信回路等で構成される。この近接通信部１８は、アンテナに生じた電磁誘導によって、停止状態または待機状態にある制御部２０を起動する起動部１９を備えている。
【００３２】
制御部２０は、ＣＰＵ等で実現され、操作部１４からの操作信号等に応じて記録部１６からカメラプログラムを読み出して実行し、デジタルカメラ１を構成する各部に対する指示やデータの転送等を行ってデジタルカメラ１の動作を統括的に制御する。この制御部２０は、表示制御部２０１と、送信制御部２０３と、許可通知制御部としての表示許可通知制御部２０５とを含み、上記したカメラプログラムは、制御部２０を表示制御部２０１、送信制御部２０３および表示許可通知制御部２０５として機能させるためのプログラムを含む。表示制御部２０１は、外部機器９に対する表示対象の撮影データを表示部１５に表示する処理を行う。送信制御部２０３は、近接通信部１８を介し、表示対象の撮影データを外部機器９に送信する処理を行う。表示許可通知制御部２０５は、近接通信部１８によって外部機器９との間で通信が確立した場合に、確立してからの経過時間を計時する。そして、表示許可通知制御部２０５は、通信が確立した状態で所定時間が継続した場合に、外部機器９に対して通信確立時に送信した撮影データの表示を許可する表示許可信号を通知する処理を行う。
【００３３】
一方、外部機器９は、図７に示すように、操作部９１、表示部９２、通信部９３、放送受信部９４、記録部９５、近接通信部９６、制御部９７等を備える。
【００３４】
操作部９１は、例えば、キーボードやマウス、リモコン、タッチパネル、各種スイッチ等の各種入力装置によって実現されるものであり、操作入力に応じた操作信号を制御部９７に出力する。テレビを視聴する場合には、操作部９１によってチャンネルの選択、音量の増減等の各種操作を入力する。表示部９２は、ＬＣＤやＥＬディスプレイ等の表示装置によって実現されるものであり、制御部９７から入力される表示信号に基づいて各種画面を表示する。
【００３５】
通信部９３は、インターネットへの接続等の処理を行うためのものであり、ネットワークＮを介して接続される他の装置との間でデータ通信を行う。ここで、ネットワークＮは、例えば、インターネットおよびインターネットに接続するための各種通信回線と、それらを接続するインターネットプロバイダ等を含む。
【００３６】
放送受信部９４は、放送局から送出される放送番組の放送波を受信するためのものである。この放送受信部９４は、アンテナやチューナ等で構成され、アンテナによって受信された放送信号の中から選択されたチャンネルの信号を選局し、復調処理等の信号処理を行って放送番組の映像データおよび音データを制御部９７に出力する。
【００３７】
記録部９５は、外部機器９を動作させ、この外部機器９が備える種々の機能を実現するためのプログラムや、このプログラムの実行中に使用されるデータ等を記録しておくためのものであり、インターネットに接続する等して取得したコンテンツデータ、デジタルカメラ１から受信した静止画データや動画データ等を記録しておくためのものである。この記録部９５は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜選択して用いることができる。
【００３８】
近接通信部９６は、デジタルカメラ１との間で近接無線通信を行うためのものであり、アンテナによってデジタルカメラ１の近接通信部１８との間で電波信号を送受信し、受信信号を復調処理するとともに、送信信号を変調処理する送受信回路等を備える。この近接通信部９６からは、その存在を報知する通信信号が定期的に送出されるようになっている。通信信号は、デジタルカメラ１の電源を投入するためのものである。ノートパソコン等を想定している外部機器９では、ＡＣ電源アダプタが利用でき、また充電池の充電容量が大きく、デジタルカメラ１と比較して電源的に有利である。このため、実施の形態１では、外部機器９から通信信号を定期的に送出することでデジタルカメラ１を自動的に電源投入できるようにしている。
【００３９】
制御部９７は、ＣＰＵ等で実現され、操作部９１から入力される操作信号、記録部９５に記録されるプログラムやデータ等に基づいて外部機器９を構成する各部への指示やデータの転送等を行い、外部機器９の動作を統括的に制御する。この制御部９７は、受信データ表示制御部９７１を含む。この受信データ表示制御部９７１は、デジタルカメラ１との間で通信が確立して撮影データを受信した場合であって、このデジタルカメラ１から表示許可信号を受信した場合に、通信確立時に受信した撮影データを表示部９２に表示する処理を行う。表示許可信号を受信しない場合には、受信データ表示制御部９７１は、受信した撮影データの表示を行わない。
【００４０】
次に、デジタルカメラ１が行う処理手順について説明する。実施の形態１のデジタルカメラ１は、電源が遮断された状態であっても、外部機器９から送出されている通信信号によって自動的に電源を投入し、撮影データの送信処理を開始するようになっている。図１３は、送信処理の手順を示すフローチャートである。
【００４１】
図１３に示すように、デジタルカメラ１の近接通信部１８が外部機器９の近接通信部９６の通信可能圏内に近接されると、近接通信部９６が定期的に送出している通信信号の受信によって近接通信部１８のアンテナに電磁誘導が生じ、外部機器９との間で通信が確立する（ステップｂ１）。詳細にはこのとき、近接通信部１８の起動部１９が、アンテナに生じた電磁誘導によって制御部２０を起動し、デジタルカメラ１の電源がＯＮされる（ステップｂ３）。このようにしてデジタルカメラ１の電源がＯＮされると、データ送信・表示許可通知処理に移る（ステップｂ５）。図１４は、実施の形態１のデータ送信・表示許可通知処理の処理手順を示すフローチャートである。
【００４２】
データ送信・表示許可通知処理では、先ず表示制御部２０１が、外部機器９に対する表示対象の撮影データを選択し、表示部１５に表示する処理を行う（ステップｃ１）。このとき、例えば最新の撮影データや最先に再生した撮影データを自動的に表示対象として選択してもよいし、ユーザの選択操作を受け付けるようにしてもよく、１つの撮影データを表示対象として選択し、選択した撮影データを表示部１５に表示するようになっている。そして、送信制御部２０３が、ステップｃ１で選択して表示した撮影データを、近接通信部１８を介して外部機器９に送信する処理を行う（ステップｃ３）。
【００４３】
続いて、表示許可通知制御部２０５が、タイマを起動して計時を開始する（ステップｃ５）。そして、通信が確立したままであって（ステップｃ７：Ｙｅｓ）、タイマの計時が予め設定された所定時間を経過するまでの間は（ステップｃ９：Ｎｏ）、待機状態となる。通信が確立したままの状態で（ステップｃ７：Ｙｅｓ）、タイマの計時が所定時間を経過したならば（ステップｃ９：Ｙｅｓ）、表示許可通知制御部２０５は、ステップｃ３で送信した撮影データの表示許可信号を外部機器９に通知する（ステップｃ１１）。そして、制御部２０が、ステップｃ３で送信した撮影データの記録要求を外部機器９に送信し（ステップｃ１３）、その後ステップｃ１７に移行する。
【００４４】
また、所定時間が経過する前に通信が遮断された場合、すなわちデジタルカメラ１が外部機器９から遠ざけられた場合には（ステップｃ７：Ｎｏ）、表示許可通知制御部２０５は、外部機器９への表示を中止した旨の警告表示を行い（ステップｃ１５）、その後ステップｃ１７に移行する。
【００４５】
すなわち、ステップｃ１７では、制御部２０が、近接通信部１８を停止状態にする。そして、図１３のステップｂ５にリターンし、その後処理を終える。
【００４６】
次に、電源投入時のデジタルカメラ１の基本処理の手順について説明する。図１５は、デジタルカメラ１が行う基本処理の手順を示すフローチャートである。電源投入時、デジタルカメラ１は、ユーザ操作によって選択されるモードに応じた処理を行う。すなわち、現在選択されているモードが撮影モードの場合には（ステップｄ１：Ｙｅｓ）、制御部２０は、撮像部１１を起動して画像を取り込み（ステップｄ３）、取り込んだ画像をライブビュー画像として表示部１５に表示する処理を行う（ステップｄ５）。そして、撮影指示がない間は（ステップｄ７：Ｎｏ）、ステップｄ３に戻って処理を繰り返し、ライブビュー画像を１フレーム毎に更新表示させる。そして、図示しないレリーズスイッチが押下されて撮影が指示された場合には（ステップｄ７：Ｙｅｓ）、撮影処理を行って、生成した撮影画像のデータを記録部１６に記録する（ステップｄ９）。
【００４７】
一方、現在のモードが撮影モードではなく（ステップｄ１：Ｎｏ）、再生モードの場合には（ステップｄ１１：Ｙｅｓ）、制御部２０は、記録部１６に記録された撮影画像の再生処理を行い、撮影画像を順次再生画像として切り換えて表示部１５に表示する（ステップｄ１３）。このとき、過去に撮影された撮影画像を先ずサムネイル形式で一覧表示させることとしてもよい。そして、一覧の中から選択された撮影画像を再生画像として再生表示することとしてもよい。
【００４８】
続いて、制御部２０は、近接通信部１８を起動し（ステップｄ１５）、デジタルカメラ１と外部機器９との間で通信が確立すると（ステップｄ１７：Ｙｅｓ）、データ送信・表示許可通知処理に移り（ステップｄ１９）、その後ステップｄ２９に移行する。このデータ送信・表示許可通知処理は、図１４に示した処理手順と同様にして行われる。なお、ここでのデータ送信・表示許可通知処理では、例えば、再生中の撮影データを外部機器９に対する表示対象の撮影データとして選択し、外部機器９に送信する。
【００４９】
また、現在のモードが再生モードではなく（ステップｄ１１：Ｎｏ）、通信モードの場合には（ステップｄ２１：Ｙｅｓ）、制御部２０は、近接通信部１８を起動する（ステップｄ２３）。そして、デジタルカメラ１と外部機器９との間で通信が確立すると（ステップｄ２５：Ｙｅｓ）、データ送信・表示許可通知処理に移り（ステップｄ２７）、その後ステップｄ２９に移行する。ステップｄ２７のデータ送信・表示許可通知処理は、図１４に示した処理手順と同様にして行われる。
【００５０】
そして、ステップｄ２９では、基本処理を終了するか否かを判定する。例えば、ボタンスイッチ７の操作によって電源ＯＦＦが指示された場合に、本処理を終える（ステップｄ２９：Ｙｅｓ）。一方、終了しない場合には（ステップｄ２９：Ｎｏ）、ステップｄ１に戻る。
【００５１】
次に、外部機器９が行う処理手順について説明する。図１６は、外部機器９が行う基本処理の手順を示すフローチャートである。ここで、外部機器９は、電源が投入されていることを前提としている。
【００５２】
図１６に示すように、先ず制御部９７が、近接通信部９６による定期的な通信信号の送出処理を開始する（ステップｅ１）。そして、デジタルカメラ１と外部機器９との間で通信が確立すると（ステップｅ３：Ｙｅｓ）、デジタルカメラ１からの撮影データを受信するまで待機状態となる。そして、受信すると（ステップｅ５：Ｙｅｓ）、先ず、受信データ表示制御部９７１が、受信した撮影データを記録部９５に一時的に記録する（ステップｅ７）。
【００５３】
続いて、受信データ表示制御部９７１は、デジタルカメラ１からの表示許可信号を受信したならば（ステップｅ９：Ｙｅｓ）、受信した撮影データの表示処理を行う（ステップｅ１１）。また、制御部９７が、デジタルカメラ１からの記録要求に応答し、受信した撮影データの記録処理を行って（ステップｅ１３）、ステップｅ３５に移行する。一方、受信データ表示制御部９７１は、表示許可信号を受信せず（ステップｅ９：Ｎｏ）、表示許可信号を受信しないまま所定時間が経過した場合には（ステップｅ１５：Ｙｅｓ）、一時記録している撮影データを消去し（ステップｅ１７）、ステップｅ３５に移行する。
【００５４】
一方、ユーザ操作によってテレビの視聴が指示された場合には（ステップｅ１９：Ｙｅｓ）、制御部９７は、ユーザが選択したチャンネルの放送番組を出力するための処理を行う（ステップｅ２１）。テレビの視聴終了が指示された場合には、ステップｅ３５に移行する。また、ユーザ操作によってインターネットの接続指示が入力された場合には（ステップｅ２３：Ｙｅｓ）、制御部９７は、ネットワークＮを介してユーザが指定したサイトに接続するための処理を行う（ステップｅ２５）。インターネットへの接続の切断が指示された場合には、ステップｅ３５に移行する。
【００５５】
また、ユーザ操作によってコンテンツの記録指示が入力された場合には（ステップｅ２７：Ｙｅｓ）、ユーザが指定したコンテンツデータを記録部９５に記録する処理を行う（ステップｅ２９）。ここで記録されるコンテンツデータは、例えば、ステップｅ２５で接続したインターネット上のサイトで公開・提供されているコンテンツデータを含む。このコンテンツデータを記録する場合には、接続しているサイトにコンテンツデータのダウンロード要求を送信し、指定したコンテンツデータを取得して記録部９５に記録する。なお、コンテンツデータの取得はインターネット上で提供されているものに限定されず、例えばメモリカードやＣＤ−ＲＯＭ等の情報記録媒体によって提供されるものであってもよい。そして、コンテンツデータの記録を終えると、ステップｅ３５に移行する。
【００５６】
また、ユーザ操作によってコンテンツデータの再生指示が入力された場合には（ステップｅ３１：Ｙｅｓ）、ユーザが指定したコンテンツデータを記録部９５から読み出して再生する処理を行う（ステップｅ３３）。ここで再生されるコンテンツデータは、インターネットに接続等してダウンロードし、ステップｅ２９で記録部９５に記録したコンテンツデータの他、ステップｅ５（Ｙｅｓ）〜ステップｅ１３で受信し記録部９５に記録したデジタルカメラ１からの撮影データ（静止画データや動画データ、音データ）が含まれる。コンテンツデータの再生終了が指示された場合には、ステップｅ３５に移行する。
【００５７】
そして、ステップｅ３５では、基本処理を終了するか否かを判定し、終了する場合には（ステップｅ３５：Ｙｅｓ）、本処理を終える。一方、終了しない場合には（ステップｅ３５：Ｎｏ）、ステップｅ３に戻る。
【００５８】
以上説明したように、実施の形態１によれば、デジタルカメラ１において、外部機器９との間で通信が確立した際に表示対象の撮影データを外部機器９に送信し、その後、外部機器９との間の通信が所定時間確立したままの場合に外部機器９に表示許可信号を送信することができ、表示対象の撮影データを外部機器９に表示させることができる。したがって、デジタルカメラ１に記録されている撮影データを外部機器９に簡単に表示させ、またはこの表示を簡単に取り消すことができるという効果を奏する。これによれば、例えばユーザが表示させたくない撮影データを誤って表示対象として選択した場合等の誤操作時であっても、この撮影データの外部機器９に対する表示を簡単に取り消すことができる。そして、外部機器９に表示させたい撮影データを選択し直して再度外部機器９に近づけることで、外部機器９に対する撮影データの表示を簡単にやり直すことができる。
【００５９】
また、デジタルカメラ１が電源遮断時であっても、デジタルカメラ１を外部機器９に近づけるだけでよく、デジタルカメラ１の電源の投入操作を行うことなく外部機器９との間のデータの送受信が行える。さらに、外部機器９との間で近接無線通信を行うための近接通信部１８を通信時のみにおいて起動し、通信を行っていない間は駆動しないようにした。これにより、デジタルカメラ１の電力の消費を抑えることが可能となる。
【００６０】
ここで、近接通信部１８，９６間の近接無線通信は、非接触状態で行われ、高速且つ大容量のデータ転送が可能な近接無線通信であって、例えば３７５Ｍｂｐｓ以上の転送速度を実現可能な非接触の近接無線通信を想定している。これにより、デジタルカメラ１に記録されている静止画データ、動画データ、音データ等の撮影データを瞬時に外部機器９に送信することができる。
【００６１】
なお、上記した実施の形態１では、通信が確立した状態が所定時間継続した場合に表示許可信号を通知することとしたが、次のようにしてもよい。すなわち、表示許可信号を外部機器９に通知した後、通信が確立している間は表示継続信号を通知するようにしてもよい。この場合、外部機器９にデジタルカメラ１を近付けている間だけ外部機器９に撮影データを表示させ、デジタルカメラ１を外部機器９から遠ざけることでその表示を消失させるといったことが可能となる。
【００６２】
また、外部機器９への記録要求の送信は、適宜行う構成としてもよい。例えば、外部機器９に撮影データを表示させるだけでよく、記録の必要までない場合には、デジタルカメラ１による記録要求の送信やこの記録要求を受信した外部機器９における撮影データの記録処理を行わない構成としてもよい。
【００６３】
また、外部機器９への記録要求の送信は、ユーザ操作に従って行うようにしてもよい。また、このユーザ操作は、デジタルカメラ１に対して行う構成としてもよいし、外部機器９に対して行うようにしてもよい。あるいは、外部機器に対して各種制御信号を発信するリモコンに対して行うようにし、外部機器は、このリモコン操作に応じて表示している撮影データの記録を行う。
【００６４】
ここで、デジタルカメラ１に対して行う記録要求の送信指示の一例について説明する。図１７は、外部機器９に対する記録要求の送信指示を説明する説明図である。例えば、記録要求の送信指示として、予めカメラ本体３の変位パターンを割り当てておく。図１７では、カメラ本体３を反時計回りに回転させる変位パターンを割り当てた場合を例示している。すなわち、撮影データを外部機器９に記録させたい場合には、ユーザは、先ずカメラ本体３を外部機器９に近づけ、通信を確立させる。続いて、図１７中に矢印Ａ７で示すように、外部機器９のキーボード面上で、カメラ本体３を反時計回りに回転させて動かす。このようにしてカメラ本体３を回転させて動かすと、デジタルカメラ１から外部機器９へと撮影データの記録要求が送信される。このとき、デジタルカメラ１の表示部１５には、図１７に示すような画面Ｗ７が表示されて表示許可信号が外部機器９に送信される。
【００６５】
図１８は、この場合にデジタルカメラ１が行うデータ送信・表示許可通知処理の処理手順を示すフローチャートである。なお、図１８において、図１４と同様の処理工程には同一の符号を付している。すなわち、ステップｃ１１の後、変位検出部１３によってカメラ本体３の変位を検出し（ステップｃ１１１）、この変位検出の結果をもとに、制御部２０が、カメラ本体３が予め設定された記録要求パターンに従って動かされたか否かを判定する。そして、制御部２０は、記録要求パターンに従ってカメラ本体３の動かされたと判定した場合には（ステップｃ１１３：Ｙｅｓ）、外部機器９に対して記録要求を送信する（ステップｃ１１５）。
【００６６】
これによれば、カメラ本体３の動きを検出することによって、ユーザによる記録操作を実現することができる。この他にも、例えば外部機器９への撮影データの送信、表示許可信号や表示継続信号の通知等をユーザによる操作入力に応じて行うように構成してもよく、例えばそれぞれに個別のパターンを設定しておく。これによれば、これらの処理をユーザによる操作入力に応じて簡単に且つ確実に行うことができる。なお、操作指示に割り当てるカメラ本体３の変位パターンは、図１７に示したカメラ本体３を回転させる変位の他に、例えばカメラ本体３を外部機器９に近づけた状態でスライド移動する変位や、カメラ本体３を傾ける変位等を適宜設定しておくことができる。
【００６７】
（実施の形態２）
次に、実施の形態２について説明する。実施の形態２では、実施の形態１のノートパソコンに替えてテレビを外部機器として例示する。図１９は、実施の形態２のデジタルカメラ１ａと外部機器９ａとが通信を行う様子を側面側から示した説明図である。図１９に示すように、外部機器９ａの近接通信部９６ａは、表示部１５が配設される前面にアンテナが配置されるように設けられている。そして、この近接通信部９６ａとデジタルカメラ１ａの近接通信部１８とが互いに通信可能圏内に近接されると、デジタルカメラ１ａと外部機器９ａとの間で通信が確立される。したがって、デジタルカメラ１ａの表示部１５が見える状態で、かつ外部機器９ａの表示部９２ｂも見える状態で通信が行える。
【００６８】
そして、実施の形態２では、デジタルカメラ１ａが外部機器９ａに近づけられたときに、複数の撮影データを外部機器９ａに送信する。送信する撮影データは、デジタルカメラ１ａに記録されている撮影データの一部または全部を外部機器９ａに対する表示対象の撮影データとして自動的に選択する。例えば、外部機器９ａに対して送信済みの撮影データがあればこの送信済みの撮影データを除く未送信の撮影データを選択し、送信した撮影データがなければ全ての撮影データを選択する。そして、撮影日時が新しいものから順番に外部機器９ａに送信する。あるいは、撮影データの選択操作を受け付け、ユーザが選択した撮影データと、この撮影データよりも撮影日時が古いものとを表示対象とし、撮影日時が新しいものから順番に外部機器９ａに送信することとしてもよい。
【００６９】
図２０および図２１は、実施の形態２における通信状況に応じた撮影データの表示許可通知の原理について説明する図である。図２０に示すように、デジタルカメラ１ａを外部機器９ａに近づけると、これらの間で通信が確立し、デジタルカメラ１ａから複数の撮影データが外部機器９ａに順次送信される。そして、外部機器９ａでは、デジタルカメラ１ａから送信された撮影データＤ１が、表示部９２ａに受信順に順次表示される。図２２は、時間経過に伴って移動表示される撮影データのレイアウト例を示す図である。
【００７０】
例えば、図２２に示すように、表示部９２ａの画面に向かって右下から受信した撮影データＤ２１，Ｄ２３が順次出現する（ａ）。そして、撮影データＤ２１，Ｄ２３や新たに出現したＤ２５，Ｄ２７が次第に拡大されて画面全体に広がるようにそれぞれ移動する演出表示がなされ（ｂ）、最終的に画面内に配列されて表示される（ｃ）。なお、図２２では、４枚の撮影データを表示する場合を例示しているが、外部機器９ａは、受信した撮影データの数に応じてレイアウトを適宜設定する。
【００７１】
一方、図２１に示すように、デジタルカメラ１ａを外部機器９ａから遠ざけると、外部機器９ａの表示部９２ａにおいて、撮影データＤ１の表示が消失する。例えば、図２２に示した通信確立時とは逆に、画面内に配列表示されていた各撮影データＤ２１，Ｄ２３，Ｄ２５，Ｄ２７が（ｃ）、画面に向かって右下に向けて次第に縮小しながら移動する演出表示がなされ（ｂ）、順次画面から消失していく（ａ）。
【００７２】
図２３は、実施の形態２においてデジタルカメラ１ａと外部機器９ａとの間で行われる通信の概要を説明する図である。図２３に示すように、外部機器９ａが送出している通信信号をデジタルカメラ１ａが受信し（ｆ１）、受信通知を送信すると（ステップｆ３）、デジタルカメラ１ａと外部機器９ａとの間で通信が確立する。通信が確立すると、外部機器９ａはデジタルカメラ１ａに待機状態を通知する（ｆ５）。これに応答してデジタルカメラ１ａは、１つ目の撮影データを外部機器９ａに送信する。そして、外部機器９ａは、この撮影データを受信し（ｆ７）、撮影データの受信完了をデジタルカメラ１ａに通知する（ｆ９）。
【００７３】
この通知を受信したデジタルカメラ１ａは、通信を確立したまま所定時間ｔs1が経過した場合に、表示許可信号を外部機器９ａに通知するとともに、２枚目の撮影データを外部機器９ａに送信する。そして、外部機器９ａは、表示許可信号を受信し、２枚目の撮影データを受信すると（ｆ１１）、ｆ７で受信した１つ目の撮影データを表示部９２ａに表示する処理を行い、表示開始をデジタルカメラ１ａに通知する（ｆ１３）。これに応答し、デジタルカメラ１ａでは、さらに通信を確立したままの状態で所定時間ｔs1が経過すると、表示継続信号を外部機器９ａに通知するとともに、次順の撮影データを外部機器９ａに送信する。そして、外部機器９ａは、表示継続信号を受信し、次順の撮影データを受信すると（ｆ１５）、ｆ１１で受信した２枚目の撮影データを表示部９２ａに表示する処理を行い、表示開始をデジタルカメラ１ａに通知する（ｆ１７）。デジタルカメラ１ａでは、さらに通信を確立したままの状態で所定時間ｔs1が経過すると、表示継続信号を外部機器９ａに通知するとともに、次順の撮影データを外部機器９ａに送信する。そして、外部機器９ａは、表示継続信号を受信し、次順の撮影データを受信すると（ｆ１９）、ｆ１５で受信した次順の撮影データを表示部９２ａに表示する処理を行う。
【００７４】
これを繰り返し行い、デジタルカメラ１ａと外部機器９ａとの間で複数の撮影データの送受を行う。なお、図示しないが、デジタルカメラ１ａから外部機器９ａに適宜記録要求を通知し、これを受信した外部機器９ａにおいて、ｆ７，ｆ１１，ｆ１５，ｆ１９等で受信した撮影データを記録するようにしてもよい。
【００７５】
次に、実施の形態２のデジタルカメラ１ａおよび外部機器９ａが行う処理手順について説明する。図２４は、実施の形態２のデジタルカメラ１ａが行うデータ送信・表示許可通知処理の処理手順を示すフローチャートである。また、図２５は、実施の形態２の外部機器９ａが行う基本処理の手順を示すフローチャートである。なお、図２４および図２５において、図１４，図１６と同様の処理工程には同一の符号を付している。
【００７６】
実施の形態２のデータ送信・表示許可通知処理では、表示許可通知制御部は、ステップｃ５の後、通信が確立したままであって（ステップｇ５：Ｙｅｓ）、タイマの計時が予め設定された所定時間を経過するまでの間は（ステップｇ７：Ｎｏ）、待機状態となる。通信が確立したままの状態で（ステップｇ５：Ｙｅｓ）、タイマの計時が所定時間を経過したならば（ステップｇ７：Ｙｅｓ）、表示許可通知制御部は、ステップｃ３で送信した撮影データの表示許可信号を外部機器９ａに通知するとともに（ステップｇ９）、次順の撮影データを外部機器９ａに送信する処理を行う（ステップｇ１１）。そして、選択した撮影データの全てを外部機器９ａに送信した場合には（ステップｇ１３：Ｙｅｓ）、ステップｇ２５に移行する。
【００７７】
一方、送信していない撮影データが残っている場合には（ステップｇ１３：Ｎｏ）、通信が確立したままであれば（ステップｇ１５：Ｎｏ）、タイマの計時が予め設定された所定時間を経過するまでの間は（ステップｇ１７：Ｎｏ）、待機状態となる。通信が確立したままの状態で（ステップｇ１５：Ｎｏ）、タイマの計時が所定時間を経過したならば（ステップｇ１７：Ｙｅｓ）、表示許可通知制御部は、表示継続信号を外部機器９ａに通知するとともに（ステップｇ１９）、ステップｇ１１に戻って次順の表示対象の撮影データを外部機器９ａに送信する処理を行う。このステップｇ１９で通知した表示継続信号に応答して、外部機器９ａでは、ステップｇ１１において前回送信した撮影データの表示部９２ａへの表示処理が行われる。
【００７８】
一方、ステップｇ１５またはステップｇ１７で所定時間が経過する前に通信が遮断された場合には（ステップｇ１５：Ｎｏ，ステップｇ１７：Ｎｏ）、表示許可通知制御部は、外部機器９ａへの表示を中止した旨の警告表示を行い（ステップｇ２１）、その後ステップｇ２５に移行する。
【００７９】
すなわち、ステップｇ２５では、制御部が、近接通信部を停止状態にし、本処理を終える。
【００８０】
そして、外部機器９ａでは、図２５に示すように、ステップｅ３において、デジタルカメラ１ａと外部機器９ａとの間で通信が確立すると（ステップｅ３：Ｙｅｓ）、その後デジタルカメラ１ａから送信される１つ目の撮影データを受信するまで待機し、受信したならば（ステップｅ５：Ｙｅｓ）、受信データ表示制御部が、この１つ目の撮影データを記録部に一時的に記録する（ステップｅ７）。そして、受信データ表示制御部は、表示許可信号を受信しない間（ステップｅ９：Ｎｏ）、待機状態となる。
【００８１】
表示許可信号を受信すると（ステップｅ９：Ｙｅｓ）、受信データ表示制御部は、ステップｅ５で受信した１つ目の撮影データの表示処理を行う（ステップｅ１１）。また、受信データ表示制御部は、表示許可信号に続いてデジタルカメラ１ａから送信される撮影データを受信し、この撮影データを記録部に一時的に記録する（ステップｈ１３）。そして、受信データ表示制御部は、表示継続信号を受信しない間（ステップｈ１５：Ｎｏ）、待機状態となる。表示継続信号を受信すると（ステップｈ１５：Ｙｅｓ）、受信データ表示制御部は、ステップｈ１３で受信した撮影データの表示処理を行う（ステップｈ１７）。
【００８２】
一方、ステップｅ９で表示許可信号を受信しないまま所定時間が経過した場合、あるいはステップｈ１５で表示継続信号を受信しないまま所定時間が経過した場合には（ステップｈ１９：Ｙｅｓ）、受信データ表示制御部は、一時記録している撮影データを消去し（ステップｅ１７）、ステップｅ３５に移行する。
【００８３】
以上説明したように、実施の形態２によれば、デジタルカメラ１ａを外部機器９ａに所定時間近づけ、そのままさらにデジタルカメラ１ａを外部機器９ａに近づけた状態を保つことで、選択した複数の撮影データを順次外部機器９ａに送信しつつ、この撮影データを外部機器９ａの表示部９２ａに順次表示させて、外部機器９ａの表示部９２ａにおける表示を継続させることができる。一方、デジタルカメラ１ａを外部機器９ａから遠ざけることで、外部機器９ａの表示部９２ａにおける表示を消失させることができる。したがって、デジタルカメラ１ａに記録されている複数の撮影データを外部機器９ａに簡単に表示させ、またはこの表示を取り消すことができるという効果を奏する。
【００８４】
以上、この発明の好適な実施の形態について説明したが、この発明は、上記したものに限定されず、発明の趣旨を逸脱しない範囲で適宜変更が可能である。
【００８５】
（変形例１）
図２６は、変形例１のデジタルカメラ１ｂの主要内部構成の一例を示すブロック図である。また、図２７は、このデジタルカメラ１ｂと外部機器９とが通信を行う様子を側面側から示した説明図である。なお、図２６および図２７において、実施の形態１と同様の構成には同一の符号を付している。また、図２７では、実施の形態１の変形例として示しているが、実施の形態２に対しても同様に適用できる。
【００８６】
図２６に示すように、変形例１のデジタルカメラ１ｂは、例えば重力センサ等で実現され、カメラ本体３の姿勢を検出する姿勢検出部２３ｂを備える。姿勢検出部２３ｂは、図２７に示すように、カメラ本体３の底部に配設されており、デジタルカメラ１ｂに固定されたローカル座標軸（図８を参照）に対する重力の方向を姿勢情報として出力する。上記したように、このローカル座標軸はカメラ本体３の姿勢とは無関係であり、この姿勢検出部２３ｂによって、外部機器９との間で通信が確立したときのカメラ本体３の姿勢を検出する。
【００８７】
図２８は、撮影時や再生時と同様の要領でデジタルカメラ１ｂのカメラ本体３を保持した様子を示す図であり、通信時のカメラ本体３の正しい姿勢（基準姿勢）を示している。一方、図２９は、基準姿勢とは別のカメラ本体３の姿勢の一例を示す図であり、図２８に示す状態とカメラ本体３の上下を逆にしてデジタルカメラ１ｂを保持した様子を示している。上記した実施の形態では、外部機器９との間で通信が確立した際のカメラ本体３の姿勢が、図２８に示す基準姿勢であることを前提としてカメラ本体３の変位を検出することとした。しかしながら、実際に通信確立時のカメラ本体３の姿勢が図２８に示す基準姿勢なのか、図２９に示すような基準姿勢とは別の姿勢なのかを判別できないという問題があった。
【００８８】
本変形例１では、図２６の制御部２０ｂが、姿勢検出部２３ｂから出力される姿勢情報をもとに、外部機器９との間で通信が確立したときのカメラ本体３の姿勢が基準姿勢か否かを判定する。具体的には、カメラ本体３の底面側を下に向けた姿勢の場合に基準姿勢と判定する。
【００８９】
この変形例１によれば、カメラ本体３の上下左右方向の姿勢を規定することができる。したがって、通信が確立されたときのカメラ本体３の姿勢が基準姿勢の場合にのみデータの送受を行うことができる。また、実施の形態１の変形例で説明したように撮影データの記録をカメラ本体３の動きによってユーザが指示する場合や、撮影データの送信や送信した撮影データの表示等をカメラ本体３の動きによってユーザが指示する場合に適用すれば、カメラ本体３が基準姿勢の状態か否かを判定した上でカメラ本体３の動きを検出することができる。これによれば、ユーザ操作による指示を誤りなく確実に検出することができる。
【００９０】
（変形例２）
また、上記した変形例１では、加速度センサや角速度センサ等の変位検出部１３によってカメラ本体３の変位を検出することとしたが、画像処理によってカメラ本体３の変位を検出するようにしてもよい。図３０は、この場合のデジタルカメラ１ｃの主要内部構成の一例を示すブロック図である。なお、図３０において、上記した実施の形態と同様の構成には同一の符号を付している。変形例２のデジタルカメラ１ｃは、図７の変位検出部１３にかえて画像変化検出部２５ｃを備える。
【００９１】
画像変化検出部２５ｃは、撮像部１１から出力される画像データをもとにフレーム間の動きを検出するためのものであり、１フレーム毎に撮像部１１によって取り込まれる各ライブビュー画像に映る同一の被写体位置の変化量を表す動きベクトルを算出する。そして、制御部２０ｃは、画像変化検出部２５ｃによって算出された動きベクトルをもとにカメラ本体３の移動方向を判定することでカメラ本体３の変位を検出する。この変形例２によれば、角速度センサや加速度センサを備えないデジタルカメラであっても、新たな構成を追加することなく例えば図１７に示したような記録要求パターンに従ったカメラ本体３の動きを検出することができる。
【００９２】
（変形例３）
上記した実施の形態２では、デジタルカメラ１ａが複数の撮影データを順次送信し、外部機器９ａ側で図２２に示したように順次撮影データをレイアウトして表示部９２ａに表示する場合について説明したが、これに限定するものではない。すなわち、デジタルカメラ１ａにおいて、図２２（ａ）〜（ｃ）に示すような撮影データ（撮影画像）をレイアウトした１枚の画像を順次生成し、外部機器９ａに送信するようにしてもよい。
【００９３】
図３１は、変形例３においてデジタルカメラと外部機器との間で行われる通信の概要を説明する図である。図３１に示すように、外部機器が送出している通信信号をデジタルカメラが受信し（ｊ１）、受信通知を送信すると（ステップｊ３）、デジタルカメラと外部機器との間で通信が確立する。通信が確立すると、外部機器はデジタルカメラに待機状態を通知する（ｊ５）。これに応答してデジタルカメラは、１枚目のレイアウト画像（例えば、図２２（ａ）に示したように撮影画像をレイアウトした１枚のレイアウト画像）を生成して外部機器に送信する。そして、外部機器は、このレイアウト画像を受信し（ｊ７）、データの受信完了をデジタルカメラに通知する（ｊ９）。
【００９４】
この通知を受信したデジタルカメラは、通信を確立したまま所定時間ｔs1が経過した場合に、表示許可信号を外部機器に通知するとともに、２枚目のレイアウト画像（例えば、図２２（ｂ）に示したように撮影画像をレイアウトした１枚のレイアウト画像）を生成して外部機器に送信する。そして、外部機器は、表示許可信号を受信し、２枚目のレイアウト画像を受信すると（ｊ１１）、ｊ７で受信した１枚目のレイアウト画像を表示部に表示する処理を行い、表示開始をデジタルカメラに通知する（ｊ１３）。これに応答し、デジタルカメラでは、さらに通信を確立したままの状態で所定時間ｔs1が経過すると、表示継続信号を外部機器に通知するとともに、次順のレイアウト画像（例えば、図２２（ｃ）に示したように撮影画像をレイアウトした１枚のレイアウト画像）を生成して外部機器に送信する。そして、外部機器は、表示継続信号を受信し、次順のレイアウト画像を受信すると（ｊ１５）、ｊ１１で受信した２枚目のレイアウト画像を表示部に表示する処理を行い、表示開始をデジタルカメラに通知する（ｊ１７）。これを繰り返し行い、デジタルカメラと外部機器との間でレイアウト画像の送受を行う。また、外部機器は、通信が遮断したことによって所定時間ｔs2（例えば、約１０秒間）が経過しても表示継続信号やレイアウト画像を受信しない場合には、ｊ７，ｊ１１，ｊ１５等で受信したレイアウト画像を新しく受信したものから順番に、順次表示していく。
【００９５】
（他の変形例）
また、上記した実施の形態のデジタルカメラは、通信が確立した外部機器との間でデータの送受を行う場合について説明したが、特定の外部機器とのみ通信を行うようにしてもよい。この場合には、予めデジタルカメラおよび外部機器において送受信する相手を登録しておく。そして、通信が確立した相手が登録されている場合には送受信を行い、登録されていない場合には、送受信を行わない。
【００９６】
また、外部機器において、テレビの視聴中にデジタルカメラとの間で通信が確立し、デジタルカメラから送信された撮影データを受信した場合に、放送番組の出力を中断して受信した撮影データを優先して再生する処理を行うようにしてもよい。また、ユーザ操作に従って放送番組の出力およびデジタルカメラからの撮影データの再生のどちらを優先するかについて設定できるようにしてもよい。そして、放送番組の出力を優先する設定がされたならば、放送番組の出力中にデジタルカメラからの撮影データを受信した場合であっても、受信した撮影データを再生しないようにしてもよい。また、必ずしもいずれか一方を優先する必要はなく、例えば受信した撮影データ用の画面と放送番組用の画面とに表示画面を２分割し、放送番組の映像データとデジタルカメラ１からの静止画データまたは動画データとを各画面に並べて表示するようにしてもよい。
【００９７】
また、上記した実施の形態では、デジタルカメラ１に起動部１９を設けた場合について説明したが、外部機器に起動部を設けることとしてもよい。そして、デジタルカメラから通信信号を定期的に送出することとし、この通信信号を受信したときに外部機器が起動される構成としてもよい。またこの場合に、通信信号の送出処理を開始してから予め設定される所定の時間が経過した場合に通信信号の送出処理を終了するようにしてもよい。また、通信が一旦確立した後で通信が遮断された場合も同様に、遮断されてから所定の時間が経過した場合に通信信号の送出処理を終了するようにしてもよい。これによれば、デジタルカメラの電力の消費を低減できる。なお、デジタルカメラから通信信号を送出する場合には、この通信信号の送出処理を開始する前に、撮像レンズを収納する制御を行う。
【００９８】
また、上記した実施の形態では、本発明の携帯機器をデジタルカメラに適用して説明したが、デジタルカメラに限らず、例えば携帯電話機や携帯型のゲーム機、ノートパソコン、携帯型の音楽プレーヤ等、他の機器との間でデータの送受が可能な各種の携帯機器に適用できる。例えば、携帯機器の一例である携帯型の音楽プレーヤにおいて、外部機器との間で音楽データを送受する場合に適用可能である。また、携帯型の音楽プレーヤにおいて、外部機器との間で、音楽データと併せて例えばＣＤジャケットの画像データといったその音楽データに関連付けられたデータを送受する場合にも、同様に適用可能である。
【００９９】
また、上記した実施の形態では、コンテンツデータの一例として撮影データについて説明したが、前述の音楽データに画像データが関連付けられたデータを外部機器に表示させる場合にも同様に適用できる。また、音楽データや音声データ等の音データを外部機器側で出力させる場合にも同様に適用でき、例えば音楽データを記録した音楽プレーヤ等の携帯機器と外部機器との間の通信状況に応じて、外部機器における音声データの再生を許可するような構成としてもよい。
【０１００】
また、外部機器に記録されているデータを携帯機器側で表示出力または音出力して再生する場合にも同様に適用できる。すなわち、携帯機器を外部機器に近づけることで外部機器からコンテンツデータを取得する場合に適用することもできる。そして、外部機器から携帯機器を遠ざけることで携帯機器におけるコンテンツデータ表示を消失させることができる。
【図面の簡単な説明】
【０１０１】
【図１】デジタルカメラの前面側を示す概略斜視図である。
【図２】デジタルカメラの背面側を示す概略斜視図である。
【図３】実施の形態１のデジタルカメラと外部機器とが通信を行う様子を側面側から示した説明図である。
【図４】実施の形態１における通信状況に応じた撮影データの表示許可通知の原理について説明する図である。
【図５】実施の形態１における通信状況に応じた撮影データの表示許可通知の原理について説明する他の図である。
【図６】実施の形態１においてデジタルカメラと外部機器との間で行われる通信の概要を説明する図である。
【図７】デジタルカメラおよび外部機器の主要内部構成の一例を示すブロック図である。
【図８】変位検出部によるカメラ本体の変位検出を説明するための図である。
【図９】加速度センサを用いたカメラ本体の移動量の検出原理の一例を説明する図である。
【図１０−１】加速度センサを用いたカメラ本体の移動量の検出原理を説明する他の図である。
【図１０−２】加速度センサを用いたカメラ本体の移動量の検出原理を説明する他の図である。
【図１０−３】加速度センサを用いたカメラ本体の移動量の検出原理を説明する他の図である。
【図１１】角速度センサを用いたカメラ本体の回転量の検出原理を説明する図である。
【図１２】角速度センサを用いたカメラ本体の回転量の検出原理を説明する他の図である。
【図１３】送信処理の手順を示すフローチャートである。
【図１４】実施の形態１のデータ送信・表示許可通知処理の処理手順を示すフローチャートである。
【図１５】デジタルカメラが行う基本処理の手順を示すフローチャートである。
【図１６】外部機器が行う基本処理の手順を示すフローチャートである。
【図１７】外部機器に対する記録要求の送信指示を説明する説明図である。
【図１８】変形例のデータ送信・表示許可通知処理の処理手順を示すフローチャートである。
【図１９】実施の形態２のデジタルカメラと外部機器とが通信を行う様子を側面側から示した説明図である。
【図２０】実施の形態２における通信状況に応じた撮影データの表示許可通知の原理について説明する図である。
【図２１】実施の形態２における通信状況に応じた撮影データの表示許可通知の原理について説明する他の図である。
【図２２】実施の形態２の外部機器に表示される撮影データのレイアウト例を示す図である。
【図２３】実施の形態２においてデジタルカメラと外部機器との間で行われる通信の概要を説明する図である。
【図２４】実施の形態２のデータ送信・表示許可通知処理の処理手順を示すフローチャートである。
【図２５】実施の形態２の外部機器が行う基本処理の手順を示すフローチャートである。
【図２６】変形例におけるデジタルカメラの主要内部構成の変形例を示すブロック図である。
【図２７】変形例のデジタルカメラと外部機器とが通信を行う様子を側面側から示した説明図である。
【図２８】カメラ本体の基準姿勢の一例を示す図である。
【図２９】基準姿勢とは別のカメラ本体の姿勢の一例を示す図である。
【図３０】変形例におけるデジタルカメラの主要内部構成の他の変形例を示すブロック図である。
【図３１】変形例においてデジタルカメラと外部機器との間で行われる通信の概要を説明する図である。
【符号の説明】
【０１０２】
１      デジタルカメラ
３      カメラ本体
４      撮像レンズ
５      レリーズスイッチ
７      ボタンスイッチ
８      グリップ部
１１      撮像部
１２      画像処理部
１３      変位検出部
１４      操作部
１５      表示部
１６      記録部
１７      時計部
１８      近接通信部
１９      起動部
２０      制御部
２０１      表示制御部
２０３      送信制御部
２０５      表示許可通知制御部
９      外部機器
９１      操作部
９２      表示部
９３      通信部
９４      放送受信部
９５      記録部
９６      近接通信部
９７      制御部
９７１      受信データ表示制御部
【図１】
2010045689.tif 000003
【図２】
2010045689.tif 000004
【図３】
2010045689.tif 000005
【図４】
2010045689.tif 000006
【図５】
2010045689.tif 000007
【図６】
2010045689.tif 000008
【図７】
2010045689.tif 000009
【図８】
2010045689.tif 000010
【図９】
2010045689.tif 000011
【図１０−１】
2010045689.tif 000012
【図１０−２】
2010045689.tif 000013
【図１０−３】
2010045689.tif 000014
【図１１】
2010045689.tif 000015
【図１２】
2010045689.tif 000016
【図１３】
2010045689.tif 000017
【図１４】
2010045689.tif 000018
【図１５】
2010045689.tif 000019
【図１６】
2010045689.tif 000020
【図１７】
2010045689.tif 000021
【図１８】
2010045689.tif 000022
【図１９】
2010045689.tif 000023
【図２０】
2010045689.tif 000024
【図２１】
2010045689.tif 000025
【図２２】
2010045689.tif 000026
【図２３】
2010045689.tif 000027
【図２４】
2010045689.tif 000028
【図２５】
2010045689.tif 000029
【図２６】
2010045689.tif 000030
【図２７】
2010045689.tif 000031
【図２８】
2010045689.tif 000032
【図２９】
2010045689.tif 000033
【図３０】
2010045689.tif 000034
【図３１】
2010045689.tif 000035